(57)【要約】  植栽用の容器本体（１）が、植栽用空間（２）を形成する底壁（３）および側壁（４）と、植栽用空間（２）に給水される植栽用水を貯水する貯水部を備え、貯水部にオーバーフロー用の排水口（１２）が設けられていて、植栽用空間（２）が上方に向けて開口する横姿勢（Ａ）において、底壁（３）および側壁（４）が、植栽用水を貯水する横姿勢貯水部を形成し、植栽用空間（２）が横側方に向けて開口する縦姿勢において、底壁（３）、側壁（４）、および、底面となる側壁（４）において底壁（３）に対向して形成される堤部（８）が、植栽用水を貯水する縦姿勢貯水部を形成し、排水口（１２）の排水始端部が、底壁（３）から所定距離離れ、かつ、側壁（４）から所定距離離れた位置に配置されている。
2008047590.tif 000002
【特許請求の範囲】
【請求項１】
植栽用の容器本体が、植栽用空間を形成する底壁および側壁と、前記植栽用空間に給水される植栽用水を貯水する貯水部を備え、その貯水部にオーバーフロー用の排水口が設けられている植栽容器であって、
前記植栽用空間が上方に向けて開口する前記容器本体の横姿勢において、その容器本体の底壁および側壁が、前記植栽用水を貯水する横姿勢貯水部を形成し、
前記植栽用空間が横側方に向けて開口する前記容器本体の縦姿勢において、前記容器本体の前記底壁、前記側壁、および、底面となる前記側壁において前記底壁に対向して形成される堤部が、前記植栽用水を貯水する縦姿勢貯水部を形成し、
前記排水口の排水始端部が、前記底壁から所定距離離れ、かつ、前記側壁から所定距離離れた位置に配置されている植栽容器。
【請求項２】
前記容器本体の植栽用空間が、仕切り壁により前記容器本体の縦姿勢において横方向に並ぶ複数の単位植栽用空間に区画され、互いに隣接する単位植栽用空間が、前記仕切り壁に設けられた植栽用水用の連通孔を介して連通されている請求項１に記載の植栽容器。
【請求項３】
前記容器本体の植栽用空間が、区画壁により前記容器本体の縦姿勢において上下方向に並ぶ複数の単位植栽用空間に区画され、互いに隣接する単位植栽用空間が、前記区画壁に設けられた前記排水口を介して連通されている請求項１に記載の植栽容器。
【請求項４】
前記容器本体の植栽用空間が、仕切り壁と区画壁により前記容器本体の縦姿勢において横方向と上下方向にそれぞれ複数個ずつ並ぶ単位植栽用空間に区画され、横方向で互いに隣接する単位植栽用空間が、前記仕切り壁に設けられた植栽用水用の連通孔を介して連通され、上下方向で互いに隣接する単位植栽用空間が、前記区画壁に設けられた前記排水口を介して連通されている請求項１に記載の植栽容器。
【請求項５】
前記容器本体の縦姿勢において、上下方向で隣接する前記排水口が、互いに異なる位置に配置されている請求項３または４に記載の植栽容器。
【請求項６】
前記容器本体の複数個が、前記植栽用空間を同一方向に開口させて並列配置され、その隣接する容器本体間において、一方の容器本体の前記排水口が、他方の容器本体に連通接続されている請求項１〜４の何れか１項に記載の植栽容器。
【発明の詳細な説明】
【技術分野】
【０００１】
本発明は、植栽用の容器本体が、植栽用空間を形成する底壁および側壁と、前記植栽用空間に給水される植栽用水を貯水する貯水部を備え、その貯水部にオーバーフロー用の排水口が設けられている植栽容器に関する。
【背景技術】
【０００２】
このような植栽容器は、従来から種々の構成のものが提案され、また、現実に使用されている。
例えば、ベランダなどのような比較的水平な面上に載置するため、植栽用空間が上方に向けて開口するように容器本体を横姿勢に配置する植栽容器があった。
また、擁壁などのような比較的鉛直な面に沿って配置するため、植栽用空間が横側方に向けて開口するように容器本体を縦姿勢に配置する植栽容器（例えば、特許文献１参照）があった。
しかし、単一の植栽容器において、容器本体を横姿勢および縦姿勢の何れの姿勢にも配置できる植栽容器は存在していなかった。
【特許文献１】特開２０００−２６２１５０号公報
【発明の開示】
【０００３】
本発明は、このような従来の問題点に着目したもので、その目的は、比較的水平な面上に載置する横姿勢にも、また、比較的鉛直な面に沿って配置する縦姿勢にも使用可能な汎用性の高い植栽容器を提供することにある。
【０００４】
上記目的を達成するための本発明の第１特徴構成は、植栽用の容器本体が、植栽用空間を形成する底壁および側壁と、前記植栽用空間に給水される植栽用水を貯水する貯水部を備え、その貯水部にオーバーフロー用の排水口が設けられている植栽容器であって、前記植栽用空間が上方に向けて開口する前記容器本体の横姿勢において、その容器本体の底壁および側壁が、前記植栽用水を貯水する横姿勢貯水部を形成し、前記植栽用空間が横側方に向けて開口する前記容器本体の縦姿勢において、前記容器本体の前記底壁、前記側壁、および、底面となる前記側壁において前記底壁に対向して形成される堤部が、前記植栽用水を貯水する縦姿勢貯水部を形成し、前記排水口の排水始端部が、前記底壁から所定距離離れ、かつ、前記側壁から所定距離離れた位置に配置した点にある。
【０００５】
本構成によれば、容器本体の横姿勢において横姿勢貯水部を形成し、容器本体の縦姿勢において縦姿勢貯水部を形成するため、単一の植栽容器を、横姿勢にしてベランダ等の水平な場所に載置して使用すること、或いは、縦姿勢にして擁壁などの鉛直な壁面に沿って配置して使用することが可能となる。
【０００６】
そして、オーバーフロー用の排水口の排水始端部が、容器本体の底壁から所定距離離れ、かつ、容器本体の側壁から所定距離離れた位置に配置してあるため、一つのオーバーフロー用の排水口が、横姿勢貯水部の排水口と縦姿勢貯水部の排水口を兼用することとなる。このように、排水口を兼用化することによって容器本体を簡単な構造にすることができる。
その結果、例えば植栽容器の製造業者の側から見れば、植栽容器のコストダウンを図ることができる。一方、植栽容器の使用者の側から見れば、使用場所などに応じて、単一の植栽容器を横姿勢あるいは縦姿勢で使用することができるため、汎用性の向上した容器となる。
【０００７】
本発明の第２特徴構成は、前記容器本体の植栽用空間が、仕切り壁により前記容器本体の縦姿勢において横方向に並ぶ複数の単位植栽用空間に区画され、互いに隣接する単位植栽用空間が、前記仕切り壁に設けられた植栽用水用の連通孔を介して連通された点にある。
【０００８】
本構成によれば、仕切り壁によって区画された各単位植栽用空間に、例えば市販の植栽床材や植栽用土壌などを収納配置することができるため、単位植栽用空間を有効に利用できる。
そして、容器本体の縦姿勢においては、横方向で隣接する単位植栽用空間同士が連通孔を介して連通するため、各単位植栽用空間への植栽用水の給水を、仕切り壁に設けられた連通孔を介して確実に行うことができる。
【０００９】
本発明の第３特徴構成は、前記容器本体の植栽用空間が、区画壁により前記容器本体の縦姿勢において上下方向に並ぶ複数の単位植栽用空間に区画され、互いに隣接する単位植栽用空間が、前記区画壁に設けられた前記排水口を介して連通された点にある。
【００１０】
本構成によれば、区画壁によって区画された各単位植栽用空間に、例えば市販の植栽床材や植栽用土壌などを収納配置することができるため、単位植栽用空間を有効に利用できる。
そして、容器本体の縦姿勢においては、上下方向で隣接する単位植栽用空間同士が排水口を介して連通するため、各単位植栽用空間への植栽用水の給水を、区画壁に設けられた排水口を介して確実に行うことができる。
【００１１】
本発明の第４特徴構成は、前記容器本体の植栽用空間が、仕切り壁と区画壁により前記容器本体の縦姿勢において横方向と上下方向にそれぞれ複数個ずつ並ぶ単位植栽用空間に区画され、横方向で互いに隣接する単位植栽用空間が、前記仕切り壁に設けられた植栽用水用の連通孔を介して連通され、上下方向で互いに隣接する単位植栽用空間が、前記区画壁に設けられた前記排水口を介して連通された点にある。
【００１２】
本構成によれば、仕切り壁と区画壁によって区画され、横方向と上下方向にそれぞれ複数個ずつ並ぶ各単位植栽用空間に、例えば市販の植栽床材や植栽用土壌などを収納配置することができるため、単位植栽用空間を有効に利用できる。
そして、容器本体の縦姿勢においては、横方向で互いに隣接する単位植栽用空間同士が連通孔を介して連通し、上下方向で互いに隣接する単位植栽用空間同士が排水口を介して連通するため、各単位植栽用空間への植栽用水の給水を、連通孔および排水口を介して確実に行うことができる。
【００１３】
本発明の第５特徴構成は、前記容器本体の縦姿勢において、上下方向で隣接する前記排水口を、互いに異なる位置に配置した点にある。
【００１４】
本構成によれば、排水口からオーバーフローにより流下した植栽用水は、下方に位置する単位植栽用空間の縦姿勢貯水部に貯水され、その後、当該単位植栽用空間の排水口から下方へ流下することとなる。このように、各縦姿勢貯水部への貯水が確実なものとなる。
【００１５】
本発明の第６特徴構成は、前記容器本体の複数個が、前記植栽用空間を同一方向に開口させて並列配置され、その隣接する容器本体間において、一方の容器本体の前記排水口が、他方の容器本体に連通接続された点にある。
【００１６】
本構成によれば、容器本体の複数個を並列配置しているので、並列配置する容器本体の個数を適宜設定することにより、植栽容器の配置場所の面積の大小にかかわらず、本発明による植栽容器を使用して所望どおりの面積にわたる植栽を楽しむことができる。
そして、その隣接する容器本体間において、一方の容器本体の排水口が、他方の容器本体に連通接続するため、並列配置する容器本体の個数にかかわらず、各容器本体の貯水部には植栽用水を確実に貯水することができる。
【図面の簡単な説明】
【００１７】
【図１】は、横姿勢における植栽容器の斜視図であり、
【図２】は、縦姿勢における植栽容器の一部切欠き正面図であり、
【図３】は、図２におけるIII−III線断面図であり、
【図４】は、横姿勢における植栽容器の要部断面図であり、
【図５】は、縦姿勢における植栽容器の要部断面図であり、
【図６】は、縦姿勢における植栽容器の斜視図であり、
【図７】は、別の実施形態の横姿勢における植栽容器の斜視図であり、
【図８】は、別の実施形態の横姿勢における植栽容器の斜視図であり、
【図９】は、別の実施形態の植栽容器の分解斜視図であり、
【図１０】は、別の実施形態の植栽容器の組立て過程を示す斜視図であり、
【図１１】は、別の実施形態の植栽容器の組立て状態を示す斜視図であり、
【図１２】は、別の実施形態の植栽容器の組立て状態を示す斜視図である。
【発明を実施するための最良の形態】
【００１８】
本発明による植栽容器の実施の形態を図面に基づいて説明する。
図１は横姿勢Ａ、図２，図３は縦姿勢Ｂの植栽容器をそれぞれ示している。
当該植栽容器は、例えば合成樹脂製の矩形の容器本体１を備える。当該容器本体１は、植物Ｐ（図４〜図６参照）を栽培するための植栽用空間２を形成するため、底壁３とその底壁３の四辺から立設された４つの側壁４を備える。【００１９】
容器本体１の植栽用空間２は、縦方向に延びる仕切り壁５と横方向に延びる区画壁６により多数の単位植栽用空間２ａに区画される。本実施形態では、植栽用空間２は、３つの仕切り壁５および３つの区画壁６により、合計１６個の単位植栽用空間２ａに区画される。
また、左右に隣接する単位植栽用空間２ａの間には、図４等に示す植栽用水Ｗが連通する連通孔７を設ける。さらに、単位植栽用空間２ａの上面の一部を覆う４つの堤部８が、対向する左右の側壁４の間に亘って連設してある。【００２０】
そして、植栽用空間２が上方に向けて開口する容器本体１の横姿勢Ａ（図１）において、底壁３および側壁４が、植栽用水Ｗを貯水する横姿勢貯水部９を形成する（図４）。この場合、底壁３が横姿勢貯水部９の底面となる。
本実施形態では、仕切り壁５・区画壁６によって、１６個の単位横姿勢貯水部９ａがそれぞれ形成される。そして、区画壁６によって区画されない横方向に並ぶ４個の単位横姿勢貯水部９ａが、連通孔７によってそれぞれ連通される。【００２１】
一方、植栽用空間２が横側方に向けて開口する容器本体１の縦姿勢Ｂ（図２，図３）において、底壁３・側壁４或いは区画壁６・底壁３に対向して形成される堤部８が、植栽用水Ｗを貯水する縦姿勢貯水部１０を形成する（図５）。この場合、側壁４或いは区画壁６が縦姿勢貯水部１０の底面となる。
本実施形態では、仕切り壁５・区画壁６によって１６個の単位縦姿勢貯水部１０ａがそれぞれ形成される。
より具体的には、例えば最下段に位置する４個の単位縦姿勢貯水部１０ａは、底壁３・側壁４・仕切り壁５・堤部８によって形成される。このとき、側壁４が縦姿勢貯水部１０の底面となる。
さらに、最下段以外の単位縦姿勢貯水部１０ａでは、例えば左右両端に位置する６個の単位縦姿勢貯水部１０ａは、底壁３・側壁４・仕切り壁５・区画壁６・堤部８によって形成される。このとき、区画壁６が縦姿勢貯水部１０の底面となる。
そして、区画壁６によって区画されない横方向に並ぶ４個の単位縦姿勢貯水部１０ａが、連通孔７によってそれぞれ連通されるように構成されている。【００２２】
容器本体１の横姿勢貯水部９と縦姿勢貯水部１０には、それら貯水部９，１０内における植栽用水Ｗを一定量以下に維持するためのオーバーフロー用の筒状体１１が設けてある。その筒状体１１の一端開口部がオーバーフロー用の排水口１２に、他端開口部が排水出口１３に構成してある。【００２３】
図２に示すように、本実施形態では、左端側の４個の単位植栽用空間２ａと、右端側の４個の単位植栽用空間２ａとの合計８個の単位植栽用空間２ａに、それぞれ筒状体１１が設けてある。【００２４】
各筒状体１１の排水口１２の排水始端部は、図４に示す横姿勢Ａにおいては、底壁３から堤部８側へ所定距離ａだけ離れた位置、図５に示す縦姿勢Ｂにおいては、側壁４または区画壁６から単位植栽用空間２ａ内に所定距離ｂだけ離れた位置に設けてある。【００２５】
隣接する単位植栽用空間２ａは、筒状体１１の排水口１２と排水出口１３を介して互いに連通する。図２において、最下方に位置する２個の筒状体１１は、その排水出口１３が側壁４に開口した状態となっている。さらに、当該側壁４と対向する側壁４には、給水口１４が２つ設けてある。
尚、所定距離ａおよび所定距離ｂについては、互いに同じ距離であっても異なる距離であってもよい。【００２６】
つぎに、この植栽容器の使用方法について説明する。
例えば、ベランダなどのような比較的水平な面上に載置して使用する場合には、容器本体１を図１および図４に示す横姿勢Ａとする。各単位植栽用空間２ａ内に、市販の植栽床材や植栽用土壌などを収納して植物Ｐを植栽する。植栽用水Ｗの給水は、上方に向けて開口する植栽用空間２から行ってもよいし、給水口１４にホースなどを接続して行ってもよい（図４）。【００２７】
例えば給水口１４から給水する場合、区画壁６によって区画されない横方向に並ぶ４個の単位植栽用空間２ａが連通孔７により連通しているので、まず、図４において右端側に位置する４個の単位植栽用空間２ａに植栽用水Ｗが給水される。そして、植栽用水Ｗが底壁３からほぼ所定距離ａのレベルに達すると、植栽用水Ｗは、筒状体１１の排水口１２から排水出口１３を経て、図４において左方に隣接する単位植栽用空間２ａに流出する。最終的には、全ての単位植栽用空間２ａに給水される。【００２８】
その際、排水口１２の始端部は、底壁３から堤部８側へ所定距離ａだけ離れた位置に設けてあるため、植栽用水Ｗは、各単位植栽用空間２ａにおいて底壁３からほぼ所定距離ａのレベル以下に維持される。従って、その所定距離ａのレベル以下の部位が、単位横姿勢貯水部９ａとなる。【００２９】
また、擁壁などのような比較的鉛直な面に沿って配置して使用する場合には、容器本体１を図２、図３および図５に示す縦姿勢Ｂにする。各単位植栽用空間２ａ内に、市販の植栽床材や植栽用土壌などを収納して植物Ｐを植栽する。植栽用水Ｗの給水は、横側方に向けて開口する植栽用空間２から行ってもよいし、給水口１４にホースなどを接続して行ってもよい（図５）。【００３０】
例えば給水口１４から給水する場合、まず、図５において最上方に位置する４個の単位植栽用空間２ａに植栽用水Ｗが給水され、その単位縦姿勢貯水部１０ａに貯水される。そして、植栽用水Ｗが区画壁６からほぼ所定距離ｂのレベルに達すると、植栽用水Ｗは、筒状体１１の排水口１２から排水出口１３を経て、図５において下方に隣接する単位植栽用空間２ａに流出する。最終的には、全ての単位植栽用空間２ａに給水される。【００３１】
その際、排水口１２の始端部は、区画壁６および側壁４から所定距離ｂだけ上方へ突出しているので、植栽用水Ｗは、各単位植栽用空間２ａにおいて区画壁６および側壁４からほぼ所定距離ｂのレベル以下に維持される。従って、その所定距離ｂのレベル以下の部位が、単位縦姿勢貯水部１０ａとなる。【００３２】
このように、本発明による植栽容器は、容器本体１を横姿勢Ａおよび縦姿勢Ｂの状態で使用することができる。何れの姿勢においても、筒状体１１の排水口１２が、オーバーフロー用の排水口を兼用することになる。【００３３】
さらに、この植栽容器は、容器本体１を一つだけ使用して植栽することも可能であるが、容器本体１を載置するベランダや擁壁の面積などに応じて、複数の容器本体１を並列配置して使用することもでき、その一例を示したのが図６である。
この図６の例では、６個の容器本体１が、植栽用空間２を同一方向に向けて並列載置され、その隣接する容器本体１間において、上方に位置する容器本体１の排水口１２が、排水出口１３と給水口１４を介して下方に位置する容器本体１の植栽用空間２に連通接続されて、スタンドＦ１を有するフレームＦに保持されている。【００３４】
〔別実施形態〕
つぎに、本発明による植栽容器の別の実施形態について説明するが、重複説明を避けるため、先の実施形態で説明した構成部品や同じ作用を有する構成部品については、同じ符号を付すことにより説明を省略し、主として異なる構成についてのみ説明する。【００３５】
（１）先の実施形態では、３つの仕切り壁５と区画壁６により、植栽用空間２を１６個の単位植栽用空間２ａに区画した例を示したが、区画する単位植栽用空間２ａの個数については、特に１６個に限るものではなく、２個以上の単位植栽用空間２ａに区画して実施することができる。【００３６】
また、植栽用空間２を複数の単位植栽用空間２ａに区画する場合、図７に示すように、区画壁６を使用せず、仕切り壁５のみを使用して複数の単位植栽用空間２ａに区画することもできる。この場合には、容器本体１の縦姿勢Ｂにおいて、複数の単位植栽用空間２ａが横方向に並んで、互いに隣接する単位植栽用空間２ａが、仕切り壁５に設けられた植栽用水用の連通孔７を介して連通することとなる。【００３７】
換言すると、先の実施形態では、植栽用空間２を仕切り壁５と区画壁６によって、容器本体１の縦姿勢Ｂにおいて、横方向と上下方向に並ぶ多数の単位植栽用空間２ａに区画した例を示したが、図７の実施形態では、先の実施形態において、横方向に並ぶ４個の単位植栽用空間２ａにより容器本体１を構成したような態様となっている。
そして、図７に示した実施形態では、オーバーフロー用の筒状体１１と給水口１４が一つずつ設けてある。【００３８】
さらに、植栽用空間２を複数の単位植栽用空間２ａに区画する場合、図８に示すように、仕切り壁５を使用せず、区画壁６のみを使用して複数の単位植栽用空間２ａに区画することもできる。つまり、先の実施形態において、上下方向に並ぶ４個の単位植栽用空間２ａにより容器本体１を構成したような態様で実施することもできる。即ち、容器本体１の縦姿勢Ｂにおいて、複数の単位植栽用空間２ａが上下方向に並んで、互いに隣接する単位植栽用空間２ａが、区画壁６に設けられたオーバーフロー用の排水口１２を介して連通されることになる。【００３９】
図８に示した実施形態では、その排水口１２と給水口１４が、互いに異なる位置に配置してある。すなわち、容器本体１の縦姿勢Ｂにおいて、排水口１２および給水口１４が左右に交互に配置される。
さらに、この容器本体１を上下方向に連結した際、上方に位置する容器本体１の排水口１２と下方に位置する容器本体１の給水口１４が同じ位置に位置するように構成する。このような構成は、先の実施形態で示した容器本体１に適用することもできる。【００４０】
（２）また、特に図示はしないが、植栽用空間２を単位植栽用空間２ａに区画することなく、単一の植栽用空間２を有する状態で実施することもできる。
その場合には、底壁３と側壁４が、植栽用空間２と横姿勢貯水部９を形成し、底壁３、側壁４および堤部８が縦姿勢貯水部１０を形成することとなる。【００４１】
（３）これまでの実施形態では、主として植栽容器の構成について説明したが、実際の実施に際しては、植栽容器をできるだけ簡単に製造して安価に提供することも重要な課題となる。そこで、図９〜図１１を参照して、植栽容器を簡単に製造するための具体的な製造例について言及する。【００４２】
図９には、植栽容器における容器本体の一つの半製品１Ａと一つの側壁４を示している。
容器本体の半製品１Ａは、先の実施形態で示した底壁３、底壁３の三辺から立設された３つの側壁４、３つの仕切り壁５および堤部８を一体的に備え、合成樹脂による一体成形品で構成してある。【００４３】
図９に示す半製品１Ａは、図７に示した植栽容器の容器本体１において、手前側に位置する側壁４を容器本体１から取り外した構成に類似している。さらに、この半製品１Ａには、オーバーフロー用の筒状体１１と排水口１２を形成するための柱状体１１Ａ、および、給水口１４を形成するための突起１４Ａが一体的に形成してある。【００４４】
半製品１Ａと別体に構成された側壁４の三辺には、半製品１Ａへの係合用の段部１５が形成される。図９に示した半製品１Ａにおいては、その上方に位置する上端縁１６が、側壁４の段部１５と係合するように構成される。また、当該半製品１Ａにおいて、その下方に位置する側壁４の三辺にも、別体に構成された側壁４の段部１５と同じ段部１５が形成してある。
尚、図中の１７は、突起１４Ａが嵌入する凹入部であり、図中の１８は、植栽用水Ｗの通流を助長するための凹入溝である。【００４５】
この容器本体の半製品１Ａは、合成樹脂製の一体成形品であるため、比較的簡単かつ安価に製造することができ、当然のことながら、単純な形状の側壁４も、合成樹脂により簡単かつ安価に製造することができる。
そして、例えば一つの半製品１Ａと一つの側壁４を使用し、半製品１Ａの上端縁１６に側壁４の段部１５を係合させるとともに、必要に応じて接着剤などを用いて互いに接着する。さらに、柱状体１１Ａに貫通孔、つまり、オーバーフロー用の排水口１２（図１０参照）を穿設することにより、図７に示したような植栽容器の容器本体１を簡単に作製することができる。【００４６】
さらに、図１０および図１１に示すように、半製品１Ａの上端縁１６に他の半製品１Ａの段部１５を係合させて多数の半製品１Ａを順次積み重ね、最上段に位置する半製品１Ａの上端縁１６に側壁４の段部１５を係合させることにより、任意の高さの植栽容器を形成することができる。その際、上方に位置する半製品１Ａの突起１４Ａが、下方に位置する半製品１Ａの凹入部１７に嵌入することとなる。
また、上述したように、柱状体１１Ａに貫通孔を穿設してオーバーフロー用の排水口１２を形成することができる。【００４７】
さらに、最上段に位置する半製品１Ａの突起１４Ａのうち、例えば、図１０において底壁３あるいは上方に位置する側壁４に貫通孔を穿設して給水口１４とし、場合によっては、その給水口１４に給水用のホースを接続するためのホース接続具１９を取り付ける。また、必要に応じて、左側に位置する突起１４Ａにも、さらに、下方に位置する半製品１Ａの突起１４Ａにも、それぞれ貫通孔を穿設して側方に隣接する図外の植栽容器への給排水口１４として使用することができる。
尚、最上段に位置する半製品１Ａの突起１４Ａのうち、例えば、図１０において右側に位置する突起１４Ａに貫通孔を穿設して給水口１４としてもよい。
そして、必要に応じて、多数段に積み重ねた半製品１Ａの角部にアングル材２０を配置し、かつ、各半製品１Ａとアングル材２０を適当な連結具２１により連結することによって植栽容器自体を強固なものとし、横方向にも並列配置して擁壁などに沿って配設することが可能となる。【００４８】
（４）上述した実施形態において、側壁４における半製品１Ａ（容器本体１）側の面に、例えば植栽用水汲み上げ用のホースＨをガイドするガイド部材４１を設けることが可能である（図１２）。当該ガイド部材４１は、ホースＨの上端開口部がガイド部材４１に当接したあとで、当該上端開口部の方向を転換させることができるように、溝状あるいはレール状等に構成することができる。
各半製品１Ａには、ホースＨを挿通する貫通孔３０ａを有する筒体３０をそれぞれ設ける。各筒体３０は、上下に隣接する各半製品１Ａ間において、同じ位置となるように設ける。
各半製品１Ａの筒体３０の貫通孔３０ａにホースＨを挿通し、そのホースＨの上端開口部がガイド部材４１に当接することによって、ホースＨが方向転換する。当該方向転換によって、例えばホースＨの上端開口部が下方を向くように構成することができる。これにより、植栽用空間に存在する植栽用土壌が貫通孔３０ａに侵入して当該貫通孔３０ａが詰まるのを防止することができる。【００４９】
本構成により、例えば最下段の容器本体１の下方に配置されたタンク（図外）内に貯水された植栽用水Ｗを、図外のポンプによりホースＨを介して最上段の容器本体１の貯水部へ汲み上げて循環させることができる。
さらに、最上段の容器本体１の貯水部に貯留した植栽用水Ｗは、排水口１２を経て、下方に隣接する容器本体１の貯水部に流出する。
【産業上の利用可能性】
【００５０】
本発明は、植栽用の容器本体が、植栽用空間を形成する底壁および側壁と、前記植栽用空間に給水される植栽用水を貯水する貯水部を備え、その貯水部にオーバーフロー用の排水口が設けられている植栽容器に利用できる。
【図１】
2008047590.tif 000003
【図２】
2008047590.tif 000004
【図３】
2008047590.tif 000005
【図４】
2008047590.tif 000006
【図５】
2008047590.tif 000007
【図６】
2008047590.tif 000008
【図７】
2008047590.tif 000009
【図８】
2008047590.tif 000010
【図９】
2008047590.tif 000011
【図１０】
2008047590.tif 000012
【図１１】
2008047590.tif 000013
【図１２】
2008047590.tif 000014
【国際調査報告】
2008047590.tif 000015
2008047590.tif 000016
2008047590.tif 000017
2008047590.tif 000018